(57)【特許請求の範囲】
【請求項１】
コマ送りされる画像の連続表示を含む「映像」を確認しながら、音声を録音する機能をコンピュータに実行させるプログラムであって、
前記映像及びタイムラインを、有する「コンテンツ」を読み出すコンテンツ読出し処理を、前記コンピュータに実行させる機能を備えるとともに、
前記タイムラインには、２以上の声役が設定されるとともに、該声役ごとに前記映像中に割り当てられる録音時間帯が設定され、
２以上の前記声役のうち、録音対象とする主声役を選択する主声役選択処理と、
前記映像を表示する映像表示処理と、
前記タイムラインに基づいて、前記主声役の録音時間帯になると録音速度計を表示する録音支援処理と、
２以上の前記声役のうち前記主声役を除く「従声役」に対して記憶された２以上の録音ユーザによる音声のうち、所望の録音ユーザの音声を選択する従音声選択処理と、
録音する際、前記従声役に対して設定された録音時間帯で、前記従音声選択処理で選択された種類の音声を出力する従音声出力処理と、
前記主声役の録音時間帯内に録音された音声を、当該録音時間帯と関連付けて記憶する音声記憶処理と、を前記コンピュータに実行させる機能を備え、
前記録音速度計は、前記主声役の録音時間帯における進行状況及び／又は残り時間を動的に示すことで、音声の録音を支援し、
前記従音声出力処理によって前記従音声が出力されることで、主声役の録音タイミングを計りやすくした、ことを特徴とする音声録音プログラム。
【請求項２】
前記録音速度計は、一定の範囲内を始点から終点まで移動する移動針を有し、該移動針の移動速度が録音時間帯の長さに応じて変化する、ことを特徴とする請求項１記載の音声録音プログラム。
【請求項３】
前記従音声選択処理では、前記従声役に対して記憶された２種類以上の音声の一部又は全部が出力され、
ユーザが音声を試聴したうえで所望の種類の音声を選択することができる、ことを特徴とする請求項１又は請求項２記載の音声録音プログラム。
【請求項４】
前記従音声選択処理では、前記従声役に対して録音した者に係る属性情報が表示され、
ユーザが前記属性情報を確認したうえで所望の種類の音声を選択することができる、ことを特徴とする請求項１乃至請求項３のいずれかに記載の音声録音プログラム。
【請求項５】
前記録音支援処理は、前記従声役に対して設定された録音時間帯にも、前記録音速度計を表示し、
さらに前記録音支援処理は、前記主声役で表示される前記録音速度計と、前記従声役で表示される前記録音速度計と、を識別可能に表示する、ことを特徴とする請求項１乃至請求項４のいずれかに記載の音声録音プログラム。
【請求項６】
前記主声役に対して設定された録音時間帯で、あらかじめ録音された音声を出力する主音声出力処理を、前記コンピュータに実行させる機能をさらに備えた、ことを特徴とする請求項１乃至請求項５のいずれかに記載の音声録音プログラム。
【請求項７】
１の声役に対して２種類以上の音声が録音され、
前記主声役に対して、記憶された音声のうち所望の種類の音声を選択する主音声選択処理を、前記コンピュータに実行させる機能をさらに備え、
前記主音声出力処理では、前記主音声選択処理で選択された種類の音声を出力する、ことを特徴とする請求項６記載の音声録音プログラム。
【請求項８】
前記タイムラインには、効果音及び／又は背景音楽を出力するために割り当てられる音響時間帯が設定され、
前記音響時間帯で、あらかじめ録音された効果音及び／又は背景音楽を出力する音響出力処理を、前記コンピュータに実行させる機能をさらに備えた、ことを特徴とする請求項１乃至請求項７のいずれかに記載の音声録音プログラム。
【請求項９】
前記音声記憶処理で録音された音声を、対応する前記録音時間帯に合わせて、前記映像とともに出力する動画再生処理を、前記コンピュータに実行させる機能をさらに備えた、ことを特徴とする請求項１乃至請求項８のいずれかに記載の音声録音プログラム。
【請求項１０】
１の声役に対して２種類以上の音声が録音され、
声役に対して、記憶された音声のうち所望の種類の音声を選択する再生音声選択処理を、前記コンピュータに実行させる機能をさらに備え、
前記動画再生処理では、前記再生音声選択処理で選択された種類の音声を出力する、ことを特徴とする請求項９記載の音声録音プログラム。
【請求項１１】
コマ送りされる画像の連続表示を含む「映像」を確認しながら、音声録音する端末装置であって、
前記映像及びタイムラインを、有する「コンテンツ」を読み出すコンテンツ読出し手段を、備えるとともに、
前記タイムラインには、２以上の声役が設定されるとともに、該声役ごとに前記映像中に割り当てられる録音時間帯が設定され、
２以上の前記声役のうち、録音対象とする主声役を選択する主声役選択手段と、
２以上の前記声役のうち前記主声役を除く「従声役」に対して記憶された２以上の録音ユーザによる音声のうち、所望の録音ユーザの音声を選択する従音声選択手段と、
録音する際、前記従声役に対して設定された録音時間帯で、前記従音声選択手段で選択された種類の音声を出力する従音声出力手段と、
前記映像を表示する映像表示手段と、
前記タイムラインに基づいて、前記主声役の録音時間帯になると録音速度計を表示する録音支援手段と、
音声を録音する音声録音手段と、を備え、
前記録音速度計は、前記主声役の録音時間帯における進行状況及び／又は残り時間を動的に示すことで、音声の録音を支援し、
前記従音声出力手段が前記従音声を出力することで、主声役の録音タイミングを計りやすくした、ことを特徴とする音声録音端末装置。
【請求項１２】
前記主声役の録音時間帯内に録音された音声を、当該録音時間帯と関連付けて記憶する音声記憶手段を、さらに備えたことを特徴とする請求項１１記載の音声録音端末装置。
【請求項１３】
無線又は有線による通信手段を通じて、前記コンテンツを受信する受信手段と、
無線又は有線による通信手段を通じて、前記音声録音手段で録音された音声を送信する送信手段と、をさらに備えたことを特徴とする請求項１１又は請求項１２記載の音声録音端末装置。
【請求項１４】
コマ送りされる画像の連続表示を含む「映像」及びタイムラインを、有する「コンテンツ」を入力するコンテンツ入力手段と、
入力された前記コンテンツを記憶するコンテンツ記憶手段と、
前記コンテンツが有する前記映像を確認しながら、音声を録音する音声録音端末装置と、
前記音声録音端末装置で録音された音声を、記憶する音声記憶手段と、を備え、
前記タイムラインには、２以上の声役が設定されるとともに、該声役ごとに前記映像中に割り当てられる録音時間帯が設定され、
前記音声録音端末装置は、
前記コンテンツ記憶手段から前記コンテンツを読み出すコンテンツ読出し手段と、
２以上の前記声役のうち、録音対象とする主声役を選択する主声役選択手段と、
２以上の前記声役のうち前記主声役を除く「従声役」に対して記憶された２以上の録音ユーザによる音声のうち、所望の録音ユーザの音声を選択する従音声選択手段と、
録音する際、前記従声役に対して設定された録音時間帯で、前記従音声選択手段で選択された種類の音声を出力する従音声出力手段と、
前記映像を表示する映像表示手段と、
前記タイムラインに基づいて、前記主声役の録音時間帯になると録音速度計を表示する録音支援手段と、
音声を録音する音声録音手段と、を具備し、
前記音声記憶手段は、録音時間帯内に録音された音声を、当該録音時間帯と関連付けて記憶し、
前記録音速度計は、前記主声役の録音時間帯における進行状況及び／又は残り時間を動的に示すことで、音声の録音を支援し、
前記従音声出力手段が前記従音声を出力することで、主声役の録音タイミングを計りやすくした、ことを特徴とする音声録音システム。
【請求項１５】
前記音声記憶手段は、１の声役に対して２種類以上の音声を記憶し、
声役に対して、前記音声記憶手段で記憶された音声のうち、所望の種類の音声を選択する再生音声選択手段と、
前記再生音声選択手段で選択された音声を、前記音声記憶手段から読み出す再生音声読出し手段と、
前記再生音声読出し手段で読み出された音声を、対応する前記録音時間帯に合わせて、前記映像とともに出力する動画再生手段と、をさらに備えたことを特徴とする請求項１４記載の音声録音システム。
【請求項１６】
前記再生音声選択手段は、前記音声記憶手段で記憶された２種類以上の音声のうち所望の音声を再生し、再生した音声を確認したうえで所望の種類の音声を選択し得る、ことを特徴とする請求項１５記載の音声録音システム。
【請求項１７】
各々の声役で選択した再生音声の組み合わせを、一つの音声グループとして登録する音声グループ登録手段を、さらに備え、
前記再生音声選択手段は、既登録の前記音声グループを選択し得る、ことを特徴とする請求項１５又は請求項１６記載の音声録音システム。
【請求項１８】
声役に対して録音した者に対する評価を入力する評価手段を、さらに備えたことを特徴とする１５乃至請求項１７のいずれかに記載の音声録音システム。
【請求項１９】
音声録音する録音ユーザの属性情報を入力する、ユーザ情報入力手段と、
前記ユーザ情報を記憶するユーザ情報記憶手段と、をさらに備え、
前記音声記憶手段は、録音された音声を、該音声を録音した録音ユーザに係る前記ユーザ情報と関連付けて記憶し、
前記再生音声選択手段は、前記音声記憶手段に記憶された音声に係る前記録音ユーザの属性情報を表示する、ことを特徴とする１５乃至請求項１８のいずれかに記載の音声録音システム。
【請求項２０】
選択情報送信手段と、
選択情報受信手段と、をさらに備え、
前記再生音声選択手段によって音声が選択されると、選択された前記録音ユーザを示すユーザ選択情報が、前記選択情報送信手段によって送信されるとともに、前記選択情報受信手段によって受信される、ことを特徴とする請求項１９記載の音声録音システム。
【発明の詳細な説明】
【技術分野】
【０００１】
本願発明は、映像に合わせて音声を録音する技術に関するものであり、より具体的には、設定された複数の声役のうち所望の声役を選んで音声録音することのできる音声録音プログラム、音声録音端末装置、及び音声録音システムに関するものである。
【背景技術】
【０００２】
従来、動画といえば映画やテレビが主流であったが、近年では情報技術の飛躍的進歩に伴い、コンピュータを用いて表示する動画も多く利用されている。コンピュータ上で動作する「動画ファイル」はコンテナとも呼ばれ、一般的に「映像データ」と「音声データ」で構成される。そして、動画再生用のソフトウェアを使って動画ファイルを再生するわけである。動画ファイルを再生する端末機器としては、パーソナルコンピュータ（パソコン）をはじめ、タブレット型端末やスマートフォンなど多種多様なものが利用されている。
【０００３】
映像は、静止画とは異なり人や物の動きを連続的に表現するものであり、実際の動作等を写し取った実写や、アニメーションが代表例として挙げられる。この映像は、多数の静止画を高速で切り替えることで動きを表現するのが主流であるが、ここでは、複数の静止画を断続的に切り替える、いわゆるコマ送りによる表現も映像に含めることとする。したがって、本願の出願人は特許文献１に示す「動く漫画」を発明しているが、この「動く漫画」もここでいう映像に含まれる。
【０００４】
ところで、動画には映像とともに音声が含まれることは既に説明したとおりであるが、映像中の登場人物（人に限定されないため、以下ここでは「キャラクター」という。）に関する音声（例えば台詞など）は、映像中の者とは異なる者が担当することも少なくない。外国映画を日本語に吹き替えるケースや、アニメーションのキャラクターに対して台詞を入れるケース（いわゆるアテレコ）などはよく知られている。また、演劇やアニメーション、動く漫画の場合、通常は複数のキャラクターが登場することから、キャラクターの数だけ音声担当者（例えば声優）が用意される。なお、ここでは便宜上、台詞などキャラクターに関する音声の担当を「声役」ということとする。つまり、ＡというキャラクターとＢというキャラクターが登場する場合、声役Ａと声役Ｂが必要になるわけである。
【０００５】
映画やアニメーションでは、専門の声優が声役を担当し、これまで視聴者（ユーザ）が声役として参加する余地はなかった。一方、コンピュータを用いて表示する動画の場合、音声データを映像データと分離して構成することができることから、ユーザが声役として参加することも十分考えられる。音声データのうち特定の声役に対して、ユーザの音声に書き換えることができれば、ユーザ自身の音声が反映された動画が再生できるわけである。
【０００６】
特定の声役にユーザ自身の声音を反映させるということは、つまり実際の声優とユーザが共演した動画を作成するということである。昨今では声優を志望する者が急増しており、このように実際の声優との共演を実現できる仕組みは広く要望されることが予想される。特許文献２でも、ユーザ自身がナレーションし、その音声を録音した紙芝居などを作成する方法について提案している。
【先行技術文献】
【特許文献】
【０００７】
【特許文献１】特許第５３２７８２３号公報
【特許文献２】特開２００５−２６７０６５号公報
【発明の概要】
【発明が解決しようとする課題】
【０００８】
特許文献２では、紙芝居などのナレーションとしてユーザ自身の音声を反映することができる。しかしながら、通常の動画には複数のキャラクターが登場し、すなわち多くの声役が用意されるため、ユーザの音声を反映させる声役をいずれか選択しなければならないが、特許文献２では所望の声役を選んで音声を反映させることができない。また、ユーザ自身の音声と実際の声優が共演した動画を作成したいと思う場合、一つの声役に対して様々な声優が選択できれば好適であるが、このような技術は、特許文献２を含め未だ提案されることがなかった。
【０００９】
さらに、音声を録音する際、映像を確認しながら行う方が、作品に適した音声を記録することができるが、例えば話すべき台詞と、その台詞に許される時間（いわゆる尺と呼ばれるもの）との兼ね合いは、映像だけで判断することは難しい。
【００１０】
本願発明の課題は、従来技術が抱える問題を解決することであり、すなわち、動画中に表れる複数のキャラクターの中から、所望のキャラクターを選んでユーザ自身の音声を反映させるとともに、他の声役を複数の音声から選択でき、しかも映像を確認しながら音声を録音する際、その速度を案内することのできる音声録音プログラム、音声録音端末装置、及び音声録音システムを提供することである。
【課題を解決するための手段】
【００１１】
本願発明は、動画中に登場する複数のキャラクターから所望のものを選んで音声録音し、しかも映像を再生するとともに録音の速度を案内しながら録音するという点に着目して開発されたものであり、従来にはない発想に基づいてなされた発明である。
【００１２】
本願発明の「音声録音プログラム」は、映像（コマ送りされる画像の連続表示を含む）を確認しながら音声を録音するプログラムであって、コンテンツ読出し処理と、主声役選択処理、映像表示処理、録音支援処理、従音声選択処理、従音声出力処理、音声記憶処理をコンピュータに実行させる機能を備えたものである。このうちコンテンツ読出し処理は、映像及びタイムラインを有する「コンテンツ」を読み出す処理である。このタイムラインには、２以上の声役が設定されるとともに、声役ごとに映像中に割り当てられる録音時間帯が設定されている。主声役選択処理は、２以上の声役のうち録音対象とする主声役を選択する処理であり、映像表示処理は、映像を表示する処理である。また、録音支援処理は、タイムラインに基づいて主声役の録音時間帯になると録音速度計を表示する処理である。従音声選択処理は、２以上の声役のうち主声役を除く「従声役」に対して記憶された２以上の録音ユーザによる音声のうち、所望の録音ユーザの音声を選択する処理であり、従音声出力処理は、録音する際、従声役に対して設定された録音時間帯で、従音声選択処理で選択された種類の音声を出力する処理である。音声記憶処理は、主声役の録音時間帯内に録音された音声をその録音時間帯と関連付けて記憶する処理である。録音速度計は、主声役の録音時間帯における進行状況や残り時間を動的に示すものであり、これを表示することで音声の録音を支援し、従音声出力処理によって従音声が出力されることで、主声役の録音タイミングを計りやすくすることができる。
【００１３】
本願発明の「音声録音プログラム」は、移動針を有する録音速度計を表示するものとすることもできる。この移動針は、一定の範囲内を始点から終点まで移動するものであり、その移動速度は録音時間帯の長さに応じて変化する。
【００１４】
本願発明の「音声録音プログラム」は、従声役に対して記憶された２種類以上の音声の一部又は全部が出力され、ユーザが音声を試聴したうえで所望の種類の音声を選択することができる従音声選択処理を、コンピュータに実行させる機能を備えたものとすることもできる。
【００１５】
本願発明の「音声録音プログラム」は、従声役に対して録音した者に係る属性情報が表示され、ユーザが属性情報を確認したうえで所望の種類の音声を選択することができる従音声選択処理を、コンピュータに実行させる機能を備えたものとすることもできる。
【００１６】
本願発明の「音声録音プログラム」は、従音声出力処理をコンピュータに実行させる機能をさらに備えたものとすることもできる。この従音声出力処理は、従声役に対して設定された録音時間帯において、あらかじめ録音された音声を出力する処理である。
【００１７】
本願発明の「音声録音プログラム」は、従音声選択処理をコンピュータに実行させる機能をさらに備えたものとすることもできる。この従音声選択処理は、従声役に対して記憶された音声のうち所望の種類の音声を選択する処理である。この場合、１の声役に対して２種類以上の音声が録音され、従音声出力処理では、従音声選択処理で選択された種類の音声を出力する。
【００１８】
本願発明の「音声録音プログラム」は、主音声出力処理をコンピュータに実行させる機能をさらに備えたものとすることもできる。この主音声出力処理は、主声役に対して設定された録音時間帯において、あらかじめ録音された音声を出力する処理である。
【００１９】
本願発明の「音声録音プログラム」は、主音声選択処理をコンピュータに実行させる機能をさらに備えたものとすることもできる。この主音声選択処理は、主声役に対して記憶された音声のうち所望の種類の音声を選択する処理である。この場合、１の声役に対して２種類以上の音声が録音され、主音声出力処理では、主音声選択処理で選択された種類の音声を出力する。
【００２０】
本願発明の「音声録音プログラム」は、音響出力処理をコンピュータに実行させる機能をさらに備えたものとすることもできる。この音響出力処理は、音響時間帯において、あらかじめ録音された効果音や背景音楽を出力する処理である。この場合、タイムラインには、効果音や背景音楽を出力するために割り当てられる音響時間帯が設定される。
【００２１】
本願発明の「音声録音プログラム」は、動画再生処理をコンピュータに実行させる機能をさらに備えたものとすることもできる。この動画再生処理は、音声記憶処理で録音された音声を、対応する録音時間帯に合わせて映像とともに出力する処理である。
【００２２】
本願発明の「音声録音プログラム」は、再生音声選択処理をコンピュータに実行させる機能をさらに備えたものとすることもできる。この再生音声選択処理は、声役に対して記憶された音声のうち所望の種類の音声を選択する処理である。この場合、１の声役に対して２種類以上の音声が録音され、動画再生処理では、再生音声選択処理で選択された種類の音声を出力する。
【００２３】
本願発明の「音声録音端末装置」は、映像（コマ送りされる画像の連続表示を含む）を確認しながら音声を録音する端末装置であって、コンテンツ読出し手段と、主声役選択手段、従音声選択手段、従音声出力手段、映像表示手段、録音支援手段、音声録音手段を備えたものである。このうちコンテンツ読出し手段は、映像及びタイムラインを有する「コンテンツ」を読み出す手段である。このタイムラインには、２以上の声役が設定されるとともに、声役ごとに映像中に割り当てられる録音時間帯が設定されている。主声役選択手段は、２以上の声役のうち録音対象とする主声役を選択する手段である。従音声選択手段は、２以上の声役のうち主声役を除く「従声役」に対して記憶された２以上の録音ユーザによる音声のうち、所望の録音ユーザの音声を選択する手段であり、従音声出力手段は、録音する際、従声役に対して設定された録音時間帯で、従音声選択手段で選択された種類の音声を出力する手段である。映像表示手段は、映像を表示する手段である。また、録音支援手段は、タイムラインに基づいて主声役の録音時間帯になると録音速度計を表示する手段であり、音声録音手段は、音声を録音する手段である。録音速度計は、主声役の録音時間帯における進行状況や残り時間を動的に示すものであり、これを表示することで音声の録音を支援し、従音声出力手段が従音声を出力することで、主声役の録音タイミングを計りやすくすることができる。
【００２４】
本願発明の「音声録音端末装置」は、音声記憶手段をさらに備えたものとすることもできる。この音声記憶手段は、主声役の録音時間帯内に録音された音声を、その録音時間帯と関連付けて記憶するものである。
【００２５】
本願発明の「音声録音端末装置」は、無線又は有線による通信手段を通じてコンテンツを受信する受信手段と、無線又は有線による通信手段を通じて音声録音手段で録音された音声を送信する送信手段をさらに備えたものとすることもできる。
【００２６】
本願発明の「音声録音システム」は、映像（コマ送りされる画像の連続表示を含む）を確認しながら音声を録音するシステムであって、コンテンツ入力手段と、コンテンツ記憶手段、音声録音端末装置、音声記憶手段を備えたものである。コンテンツ入力手段は、コンテンツを入力するものであり、コンテンツ記憶手段は、入力されたコンテンツを記憶するものであり、音声記憶手段は、音声録音端末装置で録音された音声を記憶するものである。コンテンツには、映像及びタイムラインが含まれ、このタイムラインには、２以上の声役が設定されるとともに、声役ごとに映像中に割り当てられる録音時間帯が設定されている。また、音声録音端末装置は、コンテンツが有する映像を確認しながら音声を録音するものであって、コンテンツ読出し手段と、主声役選択手段、従音声選択手段、音声出力手段、映像表示手段、録音支援手段、音声録音手段を具備している。このうちコンテンツ読出し手段は、コンテンツ記憶手段からコンテンツを読み出すものであり、主声役選択手段は、２以上の声役のうち録音対象とする主声役を選択するものである。従音声選択手段は、２以上の声役のうち主声役を除く「従声役」に対して記憶された２以上の録音ユーザによる音声のうち、所望の録音ユーザの音声を選択する手段であり、従音声出力手段は、録音する際、従声役に対して設定された録音時間帯で、従音声選択手段で選択された種類の音声を出力する手段である。さらに映像表示手段は、映像を表示するものであり、録音支援手段は、タイムラインに基づいて主声役の録音時間帯になると録音速度計を表示するものであり、音声録音手段は、音声を録音するものである。なお、音声記憶手段は、録音時間帯内に録音された音声をその録音時間帯と関連付けて記憶する。録音速度計は、主声役の録音時間帯における進行状況や残り時間を動的に示すものであり、これを表示することで音声の録音を支援し、従音声出力手段が従音声を出力することで、主声役の録音タイミングを計りやすくすることができる。
【００２７】
本願発明の「音声録音システム」は、再生音声選択手段と、再生音声読出し手段、再生手段をさらに備えたものとすることもできる。このうち再生音声選択手段は、声役に対して音声記憶手段で記憶された音声のうち所望の種類の音声を選択するものである。また、再生音声読出し手段は、再生音声選択手段で選択された音声を音声記憶手段から読み出すものであり、動画再生手段は、再生音声読出し手段で読み出された音声を、対応する録音時間帯に合わせて映像ともに出力するものである。この場合、音声記憶手段は、１の声役に対して２種類以上の音声を記憶する。
【００２８】
本願発明の「音声録音システム」は、さらに特徴を備えた再生音声選択手段を備えたものとすることもできる。この場合の再生音声選択手段は、音声記憶手段で記憶された２種類以上の音声のうち所望の音声を再生し、再生した音声を確認したうえで所望の種類の音声を選択し得るものである。
【００２９】
本願発明の「音声録音システム」は、さらに音声グループ登録手段を備えたものとすることもできる。音声グループ登録手段は、各々の声役で選択した再生音声の組み合わせを、一つの音声グループとして登録するものであり、この場合の再生音声選択手段は、既登録の音声グループを選択することができる。
【００３０】
本願発明の「音声録音システム」は、ユーザ情報入力手段と、ユーザ情報記憶手段をさらに備えたものとすることもできる。ユーザ情報入力手段は、音声録音する録音ユーザの属性情報を入力するものであり、音声記憶手段は、録音された音声を、その音声を録音した録音ユーザに係るユーザ情報と関連付けて記憶するものである。この場合、再生音声選択手段は、音声記憶手段に記憶された音声に係る録音ユーザの属性情報を表示する。
【００３１】
本願発明の「音声録音システム」は、選択情報送信手段と、選択情報受信手段をさらに備えたものとすることもできる。この場合、再生音声選択手段によって音声が選択されると、選択された録音ユーザを示すユーザ選択情報が選択情報送信手段によって送信され、そのユーザ選択情報が選択情報受信手段によって受信される。
【発明の効果】
【００３２】
本願発明の音声録音プログラム、音声録音端末装置、及び音声録音システムには、次のような効果がある。
（１）同じ映像であっても、ユーザ自身の音声を録音することで、オリジナルの動画を作成することができる。
（２）さらに、台詞をアレンジすることによって、より独創的な動画を作成することができる。
（３）映像を確認しながら音声を録音することができるので、その作品（コンテンツ）に応じた音声（例えば、感情を込めた音声）を録音することができる。
（４）音声録音の際、従声役（主声役以外の声役）の音声を再生することで、さらにその作品に応じた臨場感をもって音声録音することができる。
（５）録音速度計が、主声役の録音時間帯における進行状況や残り時間を動的に示すので、あらかじめ定められた録音時間帯に適切に音声録音することができる。
（６）ユーザ自身が録音した音声と、あらかじめ入力された声優の音声を再生することによって、声優との共演を実現することができる。
（７）無線又は有線による通信手段を通じて、複数の音声録音端末装置の接続が可能な音声録音システムとすると、同一の映像に対して、見知らぬ者どうしが非同期で（時間と場所を選ばず）共演することができる。
【図面の簡単な説明】
【００３３】
【図１】タイムラインを説明するためのモデル図。
【図２】本願発明の音声録音プログラムのうち主に音声録音に関する処理の流れの例を示すフロー図。
【図３】本願発明の音声録音プログラムのうち主に動画再生に関する処理の流れの例を示すフロー図。
【図４】録音速度計の１例を示すモデル図。
【図５】本願発明の音声録音システムのうち主に音声録音に必要な構成を示すブロック図。
【図６】本願発明の音声録音システムのうち主に動画再生に必要な構成を示すブロック図。
【図７】本願発明の音声録音システムを使用した１例を示すブロック図。
【発明を実施するための形態】
【００３４】
本願発明の音声録音プログラム、音声録音端末装置、及び音声録音システムの例を図に基づいて説明する。
【００３５】
１．定義
本願発明の実施形態の例を説明するにあたって、はじめにここで用いる用語の定義を示しておく。
【００３６】
（動画とコンテンツ）
動画は、映像と音声を表示したものである。なおここで映像とは、既述したとおり、多数の静止画を高速で切り替えることで動きを表現するもののほか、複数の静止画を断続的に切り替える、いわゆるコマ送りによる表現も含まれる。一方、コンテンツは、映像データとタイムラインデータを含むもので、アニメーションや物語のタイトル（作品）ごとに用意される。タイムラインは映像中の音声時間を設定するものであり、このタイムラインに従って音声を録音し、あるいは出力する。つまり、コンテンツを動画再生手段で再生したものが、「動画」として表示されるわけである。
【００３７】
（タイムラインと声役）
タイムラインについて、図１を参照しながらさらに詳しく説明する。図１は、タイムラインを説明するためのモデル図である。タイムラインは、この図に示すように、映像の開始から終了までの間、どのタイミングで、しかもどの程度の時間幅（いわゆる尺）で、音声を表現するかを設定するものであり、いわば音声時間を決める設計図の役割を果たすものである。
【００３８】
通常、一つの動画作品（タイトル）には、複数のキャラクターが登場し、当然ながらキャラクターごとに台詞やその出力タイミング等は異なる。なお、ここでは便宜上、キャラクターの音声担当を「声役」としている。例えば、図１に示すタイトルでは６種類のキャラクターが登場し、それぞれのキャラクターに対して、声役Ａ〜声役Ｆが割り当てられている。このように複数の声役が用意されている場合、当然ながらタイムラインは、それぞれの声役に対して、音声を入出力する時間帯（以下、「録音時間帯」という。）を設定することとなる。図１では、例えば、声役Ａに対して３つの録音時間帯が設定され、声役Ｄでは２つの録音時間帯が設定されている。
【００３９】
タイムラインは、登場するキャラクターに係る音声に限らず、効果音（ＳＥ：Ｓｏｕｎｄ  Ｅｆｆｅｃｔ）や背景音楽（ＢＧＭ：Ｂａｃｋ  Ｇｒｏｕｎｄ  Ｍｕｓｉｃ）の録音時間帯である「音響時間帯」も必要に応じて設定する。図１では、効果音として７つの音響時間帯、背景音楽として３つの音響時間帯が設定されている。もちろん、効果音や背景音楽も、声役と同様に２種類以上（例えば、効果音１、効果音２など）用意することもできる。
【００４０】
２．音声録音プログラム
次に、本願発明の音声録音プログラムについて、図を参照しながら説明する。図２は、本願発明の音声録音プログラムのうち主に音声録音に関する処理の流れの例を示すフロー図であり、図３は、主に動画再生に関する処理の流れの例を示すフロー図である。なお、それぞれのフロー図は、中央の列に実施する処理を示し、左列にはその処理に必要な入力情報を、右列にはその処理から発生する出力情報を示している。また、ここで示す処理は、具体的にはコンピュータによって実行される。
【００４１】
まず、ユーザが所望のタイトル（動画作品）に係るコンテンツを選択し、さらに所望の声役（キャラクター）に対して音声を録音する処理について、図２に基づいて説明する。はじめに、映像とタイムラインが含まれたコンテンツを、例えばコンテンツ記憶手段（コンテンツサーバ）から読み出す（Ｓｔｅｐ１０１）。通常、コンテンツサーバには複数のタイトルに係るコンテンツが記憶されており、したがってユーザはそのうち所望のタイトルに係るコンテンツを選んで読み出す。
【００４２】
読み出されたコンテンツに含まれるタイムラインには、２以上の声役が設定されているため、ユーザは担当したい声役、すなわち自身の音声を録音したい声役を選択する（Ｓｔｅｐ１０２）。なお、便宜上ここでは、複数の声役のうち音声録音対象として選択された声役を「主声役」という。主声役が選択されると、主声役を除く他の声役は「従声役」として設定される。
【００４３】
従声役に対して、既に記憶された音声がある場合、その声を読み出すこともできる。さらに、一つの声役に対して２以上の音声が記憶されていれば、ユーザが所望する音声を選択することもできる（Ｓｔｅｐ１０３）。もちろん、複数の従声役がある場合は、それぞれの声役に対して所望の音声を選択する。一方、ユーザが従声役に対して音声を選択しない場合は、既定の（デフォルトの）音声が当該従声役の音声として設定される。ここで、従声役の音声として選択（設定）されたものが「従音声」である。なお、従音声を選択する場合、その従声役として記憶された複数の音声のうち一部（あるいはすべて）の音声を試聴したうえで、所望の音声を選択することもできる。この場合、記憶された音声を読み出す処理と、その音声を再生する処理が必要となる。
【００４４】
あるいは、従音声を選択する場合、音声を録音した者（以下、「録音ユーザ」という。）に係る属性情報（以下、「ユーザ情報」という。）を表示することもできる。例えば、ユーザ情報を参照すれば、支持する声優に係る音声を従音声として選択することができるわけである。この場合、ユーザ情報を記憶するユーザ情報記憶手段と、記憶された音声に係るユーザ情報を読み出す処理、そのユーザ情報を例えば一覧形式で表示する処理が必要となる。
【００４５】
ここまでの処理が終わると、いよいよ音声の録音が開始する（Ｓｔｅｐ１０４）。例えば、録音開始のトリガーとなる操作を行うと、映像が映像表示手段に映し出される（Ｓｔｅｐ１０５）。そして、主声役の録音時間帯になるとタイムラインにしたがって録音支援処理が開始される（Ｓｔｅｐ１０６）。この録音支援処理は、具体的には録音速度計を表示するものであり、また録音速度計は、主声役の録音時間帯における進行状況を動的に示すものである。録音速度計は、主声役の録音時間帯における進行状況に代えて（あるいは加えて）残り時間を動的に示すものとすることもできる。
【００４６】
図４は、録音速度計の１例を示すモデル図である。なお、この図では「マリノ」というキャラクターが主声役として選択されている。この図に示すように、主声役に対して設定された録音時間帯になると、録音速度計の動的表示が開始される。この図の録音表示計は、左右に長手方向を有する長方形枠の中を、移動針が左から右に向かって移動するものである。また、この録音表示計は、既に経過した時間帯を濃い色で、残りの時間帯を薄い色で示しており、その境界が移動針として表示されている。この図の録音速度計は、長方形枠の幅（移動針が移動する範囲）を一定長としているため、録音時間帯が比較的長い場合は移動針の移動速度を緩速とし、録音時間帯が比較的短い場合は移動針の移動速度を急速としている。なお、録音速度計は、図４に示す形式に限らず、主声役の音声録音を開始するタイミングを示すとともに、録音時間帯における進行状況又は残り時間を動的に示すことができれば、例えば時計表示や円グラフ表示、あるいは数字のみの百分率表示など、種々の形式を採用することができる。
【００４７】
さらに録音速度計は、その録音時間帯で話すべき台詞を表示することもできる。もちろん、台詞どおり話すのではなく、アドリブとして独創的な台詞を話すこともできるし、声ではなく楽器その他の音を発することもできる。ここで話された（発せられた）音声は、録音手段によって録音され（Ｓｔｅｐ１０７）、主声役に係る音声（以下、「主音声」という。）として記憶される（Ｓｔｅｐ１０８）。このとき、主音声は当該録音時間帯と関連づけて（紐づけて）記憶される。例えば、図１で声役Ａが主声役とすると、録音時間帯Ａ１で録音された主音声は、録音時間帯Ａ１に紐づく主音声として記憶され、録音時間帯Ａ２で録音された主音声は、録音時間帯Ａ２に紐づく主音声として記憶される。
【００４８】
主音声を録音するに当たっては、図４にも示すように、タイムラインに従って従声役の録音速度計を表示することもできる。加えて、従声役の録音速度計に当該録音時間帯の台詞を表示することもできるし（Ｓｔｅｐ１０９）、Ｓｔｅｐ１０３において選択（設定）された従音声を出力することもできる（Ｓｔｅｐ１１０）。もちろん、タイムラインに従って効果音や背景音楽を出力することもできる。従声役の録音速度計を表示し、従音声や効果音等を出力することで、主声役を録音するタイミングが計りやすくなるとともに、臨場感が向上してより適した音声を録音することができる。ただしこの場合、主声役で表示される録音速度計と、従声役で表示される録音速度計を識別可能に表示すると良い。主声役と従声役の録音速度計を同様にすると、主声役を録音するタイミングが却って計りにくくなるからである。例えば、主声役の録音表示計の濃淡表示（経過時間と残時間）は赤色とし、従声役の録音表示計の濃淡表示はグレーとすると良い。なお、異なる従声役の録音表示計は、それぞれ識別可能にしてもよいし、統一して識別不可とすることもできる。
【００４９】
さらに、主音声を録音するに当たっては、タイムラインに従って主音声を出力しながら録音することもできる。例えば、外国語の台詞の場合、ヒアリングしながらその発音に合わせて録音するわけである。この場合も従音声と同様、主声役に対して２種類以上の音声が記憶されていれば、記憶された音声のうち所望の種類の音声を選択して出力させることができる。その際、記憶された複数の音声のうち一部（あるいはすべて）の音声を試聴したうえで、所望の主音声を選択することもできるし、表示されたユーザ情報を参照しながら所望の主音声を選択することもできる。
【００５０】
ところで図４の映像は、いわゆるコマ送りによる映像を表示しており、この画像に関する複数の録音速度計の長方形枠が、一覧形式で表示されている。この場合、画像が切り替わる（つまりコマ送りされる）タイミングで長方形枠の一覧を総入れ替えすることもできるし、画像の切り替えにかかわらず、時間の経過とともに長方形枠の一覧を上方にスクロール移動させることもできる。もちろん、画像を高速切り替えする映像の場合も同様である。
【００５１】
映像が終了する（図１のＥＮＤ）まで、つまりすべての録音時間帯（例えば、図１のＡ１〜Ａ３）に対して繰り返し音声を録音する処理が終わると、一連の録音処理が終了する（Ｓｔｅｐ１１１）。
【００５２】
つぎに図３に基づいて、ユーザが所望のタイトルに係るコンテンツを選択し、そのコンテンツを再生する処理について説明する。はじめに、映像とタイムラインが含まれたコンテンツを、例えばコンテンツ記憶手段（コンテンツサーバ）から読み出す（Ｓｔｅｐ２０１）。通常、コンテンツサーバには複数のタイトルに係るコンテンツが記憶されており、したがってユーザはそのうち所望のタイトルに係るコンテンツを選んで読み出す。なお、ここで読み出すコンテンツに係る録音時間帯には、既に音声が録音されている。したがって、図２のフロー図で説明したコンテンツサーバとここで説明するコンテンツサーバは異なるものとして用意してもよいし、１のコンテンツサーバを用意して、これに記憶されるコンテンツが録音済みであるか、あるいは未録音のものか識別できるように記憶させることもできる。
【００５３】
所望のコンテンツを読み出すと、声役に対して出力する音声を選択する（Ｓｔｅｐ２０２）。なお、動画を再生する場合は、音声を録音する場合と異なり、主声役と従声役に分けて設定する必要はない。複数ある声役それぞれに対して、２以上記憶された音声のうち所望の音声を選択する。もちろん、一つの声役に対して１の音声のみが記憶されている場合はそのまま指定する。一方、ユーザが声役に対して音声を選択しない場合は、既定の（デフォルトの）音声が当該声役の音声として設定される。ここで、声役の音声として選択（設定）されたものがそれぞれの声役の「再生音声」である。なお、音声を選択する場合、その声役として記憶された複数の音声のうち一部（あるいはすべて）の音声を試聴したうえで、所望の音声を選択することもできるし、表示されたユーザ情報を参照しながら所望の音声を選択することもできる。
【００５４】
ここまでの処理が終わると、いよいよ動画再生が開始する（Ｓｔｅｐ２０３）。例えば、再生開始のトリガーとなる操作を行うと、映像が映像表示手段に映し出される（Ｓｔｅｐ２０４）。そして、Ｓｔｅｐ２０１で読み出したコンテンツのタイムラインに規定された録音時間帯に応じて、Ｓｔｅｐ２０２で選択され読み出された再生音声が出力される（Ｓｔｅｐ２０５）。
【００５５】
動画再生中に、それぞれの声役に対応する録音速度計をタイムラインに従って表示し、さらに対応する台詞を表示させることもできる（Ｓｔｅｐ２０６）。映像が終了する（図１のＥＮＤ）まで、つまりすべての声役のすべての録音時間帯に対して繰り返し音声が出力され、一連の動画再生処理が終了する（Ｓｔｅｐ２０７）。
【００５６】
３．音声録音端末装置、及び音声録音システム
ここでは、本願発明の音声録音端末装置、及び音声録音システムについて、図を参照しながら説明する。なお、音声録音プログラムで説明した内容と重複する説明は避け、音声録音端末装置、及び音声録音システムに特有の内容のみ説明することとする。すなわち、ここに記載されていない内容は、音声録音プログラムで説明したものと同様である。
【００５７】
（音声録音端末装置）
はじめに、図５を参照しながら、音声録音システムを構成する音声録音端末装置１００について説明する。図５は、本願発明の音声録音システムのうち主に音声録音に必要な構成を示すブロック図である。音声録音端末装置１００は、音声録音プログラムの処理（全部または一部）を実行するものであり、専用のものとして製造することもできるが、汎用的なコンピュータ装置を利用することもできる。このコンピュータ装置は、パーソナルコンピュータ（ＰＣ）や、ｉＰａｄ（登録商標）といったタブレット型端末やスマートフォン、あるいはＰＤＡ（Ｐｅｒｓｏｎａｌ  Ｄａｔａ  Ａｓｓｉｓｔａｎｃｅ）などによって構成することができる。コンピュータ装置は、ＣＰＵ等のプロセッサ、ＲＯＭやＲＡＭといったメモリを具備しており、さらにマウスやキーボード等の入力手段やディスプレイ（映像表示手段１０３）を含むものもある。なお、一般的なＰＣであればマウスやキーボード等のデバイスから入力するが、タブレット型端末やスマートフォンではタッチパネルを用いた操作（タップ、ピンチイン／アウト、スライド等）で入力することが多い。
【００５８】
音声録音端末装置１００は、図５に示すように、コンテンツ読出し手段１０１と、主声役選択手段１０２、映像表示手段１０３、録音支援手段１０４、音声録音手段１０５を具備している。コンテンツ読出し手段１０１は、コンテンツ記憶手段（コンテンツサーバ２００）からコンテンツを読み出すものである。通常、コンテンツサーバには複数のタイトルに係るコンテンツが記憶されているので、コンテンツ読出し手段１０１は複数の中から所望のタイトルに係るコンテンツを選んで読み出すことができる。
【００５９】
読み出されたコンテンツに含まれるタイムラインには、２以上の声役が設定されている。そこで、主声役選択手段１０２が、この２以上の声役から主声役を選択する。また、映像表示手段１０３は、例えばディスプレイなどのように映像を表示し、録音支援手段１０４は、図４に示すような録音速度計を表示させる。そして、音声録音手段１０５を用いて音声を録音することができる。なお図５では、主音声を記憶する音声記憶手段（音声サーバ３００）を音声録音端末装置１００の外部に設けているが、これに限らず音声録音端末装置１００が音声サーバ３００を具備することもできる。音声サーバ３００は、主音声と、当該主音声の録音時間帯を、それぞれ関連づけて（紐づけて）記憶する。
【００６０】
また、コンテンツサーバ２００からコンテンツを読み出すために、無線又は有線による通信手段を通じてコンテンツを受信する「受信手段１０６」を、音声録音端末装置１００に具備させることもできる。同様に、録音時間帯と紐づいた主音声を、無線又は有線による通信手段を通じて、音声サーバ３００（この場合は音声録音端末装置１００の外部に設けている）に送信する「送信手段１０７」を、音声録音端末装置１００に具備させることもできる。
【００６１】
さらに、録音ユーザに係る属性情報である「ユーザ情報」を入力する「ユーザ情報入力手段１０８」を、音声録音端末装置１００に具備させることもできる。この場合、入力されたユーザ情報は、送信手段１０７によってユーザ情報記憶手段（ユーザ情報サーバ４００）に記憶される。このユーザ情報サーバ４００は、主音声として記憶された音声と、当該音声を録音した録音ユーザに係るユーザ情報を、それぞれ関連づけて（紐づけて）記憶する。
【００６２】
（音声録音システム）
音声録音システムは、図５に示すように、音声録音端末装置１００と、コンテンツ入力手段２０１、コンテンツサーバ２００、音声サーバ３００で構成される。ここでコンテンツ入力手段２０１は、コンテンツサーバ２００にコンテンツを入力するためのものである。なお、既述のとおりコンテンツサーバ２００は音声録音端末装置１００に具備させることもできるし、同様に、コンテンツ入力手段２０１も音声録音端末装置１００に具備させることができる。さらに、ユーザ情報サーバ４００を含めて、音声録音システムを構成することもできる。
【００６３】
図６は、本願発明の音声録音システムのうち主に動画再生に必要な構成を示すブロック図である。この図では、図５に示す音声録音システムの構成に加えて、動画再生装置５００が設けられている。なおこの図では、動画再生装置５００が音声録音端末装置１００から独立して（別体として）設けられているが、これに限らず、動画再生装置５００を音声録音端末装置１００に含めて（一体として）設けることもできる。
【００６４】
動画再生装置５００は、図６に示すように、再生音声選択手段５０１と、再生音声読出し手段５０２、動画再生手段５０３を具備している。再生音声選択手段５０１は、コンテンツ読出し手段１０１で読み出した所望のコンテンツで設定される複数の声役に対して、それぞれの声役について出力する音声を選択する。ここで選択された音声が、再生音声として設定される。再生音声読出し手段５０２は、再生音声選択手段５０１で選択（設定）した再生音声を読み出し、動画再生手段５０３は、コンテンツに含まれる映像を、映像表示手段１０３に表示して再生する。さらに動画再生装置５００は、各々の声役で選択した再生音声を一つの組み合わせ（以下、「音声グループ」という。）として登録する音声グループ登録手段を具備したものとすることもできる。この場合、再生音声選択手段５０１は、個々の声役ごとに再生音声を選択することもできるし、既登録のものがあれば音声グループを選択することもできる。配役どうしの相乗効果によってより優れた動画作品となることもあり、音声グループを登録しておけば容易に同じ声役の組み合わせで動画を閲覧することができて好適となる。
【００６５】
再生音声選択手段５０１で出力音声を選択する際、音声サーバ３００に記憶された複数の音声のうち一部（あるいはすべて）の音声を試聴したうえで、所望の再生音声を選択することもできるし、表示されたユーザ情報を参照しながら所望の再生音声を選択することもできる。この場合、再生音声選択手段５０１が、音声サーバ３００から音声を読み出して出力し、あるいはユーザ情報サーバ４００からユーザ情報を読み出して表示する。
【００６６】
また、無線又は有線による通信手段を通じて、音声サーバ３００から音声を受信する、あるいはユーザ情報サーバ４００からユーザ情報を受信する「受信手段５０５」を、動画再生装置５００に具備させることもできる。さらに、動画再生後に、選択した再生音声を録音した録音ユーザに対して、評価する手段として「評価手段５０４」を設けることもできる。ここで評価した結果（例えば、テキストデータ）は、「送信手段５０６」を用い、無線又は有線による通信手段を通じて、ユーザ情報サーバ４００に送信することもできる。なお、受信手段５０５は、図５に示す受信手段１０６と兼用することができるし、送信手段５０６は、図５に示す送信手段１０７と兼用することができる。
【００６７】
（音声録音システムの使用例）
図７は、本願発明の音声録音システムを使用した１例を示すブロック図である。この図では、クライアントがコマーシャル（ＣＭ）用に映像を作成し、その映像の声役に適した音声役（ユーザ）を探し出すケースを示している。クライアントは、映像とともにタイムラインを作成し、映像とタイムラインからなるコンテンツをコンテンツサーバ２００に登録する。このとき、映像中、採用したい声役（つまり主音声）を明確にしておくのが望ましい。
【００６８】
一方、録音ユーザは、音声録音端末装置１００を用いて、クライアントが目的としている声役を主声役として、自身の音声を録音する。そして録音された音声は、音声サーバ３００に記憶される。なお、ユーザ情報はあらかじめユーザ情報サーバ４００に記憶されている。
【００６９】
何人かの録音ユーザによって音声サーバ３００に音声が記憶されると、今度はクライアントが、動画再生装置５００を用いて動画再生する。このとき、音声試聴やユーザ情報を参考に再生音声を選択したうえで動画再生を行う。そして、何人かの録音ユーザに係る再生音声を確認し、その中から採用したい録音ユーザを選択する。ここでクライアントが採用したい録音ユーザを選択すると、その採用した結果を「ユーザ選択情報」として当該録音ユーザに通知する。具体的には、図７に示す「選択情報送信手段６０１」によってユーザ選択情報を送信し、「選択情報受信手段６０２」によって録音ユーザが選択情報を受信する。なお、選択情報を送受信するとともに、ユーザ情報に含まれる銀行口座等の情報に基づいて、出演フィーとしてクライアントが当該登録ユーザの銀行口座に入金する仕組みとすることもできる。
【産業上の利用可能性】
【００７０】
本願発明の音声録音プログラム、音声録音端末装置、及び音声録音システムは、実写の物語（ドラマ）や、アニメーション、あるいは動く漫画に利用できるほか、外国語の会話練習、テレビコマーシャルの声優選び、あるいは映像付きの音楽演奏にも利用することができる。すなわち、今後、様々な産業界で応用が期待できる発明である。
【符号の説明】
【００７１】
１００  音声録音端末装置
１０１  コンテンツ読出し手段
１０２  主声役選択手段
１０３  映像表示手段
１０４  録音支援手段
１０５  音声録音手段
１０６  受信手段
１０７  送信手段
１０８  ユーザ情報入力手段
２００  コンテンツサーバ
３００  音声サーバ
４００  ユーザ情報サーバ
５００  動画再生装置
５０１  再生音声選択手段
５０２  再生音声読出し手段
５０３  動画再生手段
５０４  評価手段
５０５  受信手段
５０６  送信手段
６０１  選択情報送信手段
６０２  選択情報受信手段
【要約】
【課題】本願発明の課題は、従来技術が抱える問題を解決することであり、すなわち、動画中に表れる複数のキャラクターの中から、所望のキャラクターを選んでユーザ自身の音声を反映させるとともに、他の声役を複数の音声から選択でき、しかも動画を確認しながら音声を録音する際、その速度を案内することのできる音声録音プログラム、音声録音端末装置、及び音声録音システムを提供することである。
【解決手段】本願発明の「音声録音プログラム」は、動画（コマ送りされる画像の連続表示を含む）を確認しながら音声を録音するプログラムであって、コンテンツ読出し処理と、主声役選択処理、動画表示処理、録音支援処理、音声記憶処理をコンピュータに実行させる機能を備えたものである。このうちコンテンツ読出し処理は、動画及びタイムラインを有する「コンテンツ」を読み出す処理である。
【選択図】図４【図１】
0005774185.tif 000002
【図２】
0005774185.tif 000003
【図３】
0005774185.tif 000004
【図４】
0005774185.tif 000005
【図５】
0005774185.tif 000006
【図６】
0005774185.tif 000007
【図７】
0005774185.tif 000008